(57)【要約】【課題】高精度に同期された複数の無線周波数信号を、シンプルかつ低コストで生成する。【解決手段】複数チャネルの送信データの変調処理を行い、生成されたチャネル毎の変調データを加算して合成データＤＴを生成してデータ蓄積部１１に蓄積させておく。変調処理では、搬送波の周波数をチャネル毎に異なるものとして、合成データがチャネル毎の変調データを周波数分割多重したものなるようにする。合成データＤＴをＤ／Ａ変換器１２でアナログの合成信号ＳＴに変換して周波数変換部１３で無線周波数にアップコンバートする。信号分離部１４は、無線周波数信号ＳRFamから２つのチャネルの信号ＳRFa1，ＳRFa2を得る。信号出力部１５は、信号ＳRFa1，ＳRFa2を所望の周波数や信号レベルとして出力信号ＲＦout，ＲＦout2とする。【選択図】        図１
2008028726.tif 000002
【特許請求の範囲】
【請求項１】
複数チャネルの送信データを前記チャネル毎に変調して周波数分割多重した合成データが蓄積されているデータ蓄積手段と、
前記データ蓄積手段より読み出した前記合成データから、前記各チャネルの変調信号をアナログ信号として得る信号分離手段と、
前記信号分離手段で得られた前記各チャネルの前記変調信号を、それぞれ所望の出力周波数に変換する出力処理手段と
を具える信号発生装置。
【請求項２】
前記信号分離手段で得られる前記変調信号を、前記出力周波数よりも高い周波数に変換する周波数変換手段を更に具え、
前記出力処理手段が有するフィルタ手段により、前記出力処理手段での周波数変換によって生じるイメージ成分を除去する
ことを特徴とする請求項１記載の信号発生装置。
【請求項３】
複数チャネルの送信データを前記チャネル毎に変調して周波数分割多重した合成データから、前記各チャネルの変調信号をアナログ信号として得る信号分離ステップと、
前記信号分離ステップで得られた前記各チャネルの前記変調信号を、それぞれ所望の出力周波数に変換する出力処理ステップと
を具える信号発生方法。
【請求項４】
複数チャネルの送信データで搬送波の変調を行い、前記チャネル毎に変調データを生成する変調手段と、
前記変調手段で得られた前記チャネル毎の前記変調データを加算して合成データを生成する加算手段とを具え、
前記変調手段は、前記搬送波の周波数をチャネル毎に異なるものとして、前記チャネル毎の前記変調データが周波数分割多重されている前記合成データを前記加算手段で生成させる
ことを特徴とするデータ生成装置。
【請求項５】
複数チャネルの送信データで搬送波の変調を行い、前記チャネル毎に変調データを生成する変調ステップと、
前記変調ステップで得られた前記チャネル毎の前記変調データを加算して合成データを生成する加算ステップとを具え、
前記変調ステップでは、前記搬送波の周波数をチャネル毎に異なるものとして、前記チャネル毎の変調データが周波数分割多重されている合成データを前記加算ステップで生成させる
ことを特徴とするデータ生成方法。
【発明の詳細な説明】
【技術分野】
【０００１】
この発明は、信号発生装置及び方法並びにデータ生成装置及び方法に関するものであって、高精度に同期された複数の無線周波数信号を生成するためのものである。
【背景技術】
【０００２】
従来、無線通信システムで用いられる受信機の動作特性を測定するために、試験信号として無線周波数信号を出力する信号発生装置が用いられている。この信号発生装置では、無線周波数信号を生成するための送信データがデータ蓄積部に記憶されており、このデータ蓄積部に記憶された送信データをディジタル変調したのち、周波数をアップコンバートして無線周波数信号として出力することが行われている。
【０００３】
図５は、従来の信号発生装置７０の機能ブロック図を示している。データ蓄積部７１は、無線周波数信号を生成するための送信データが記憶されている。信号発生装置７０から無線周波数信号を出力する場合、データ蓄積部７１から送信データＤi，Ｄqを読み出して、送信データＤiをＤ／Ａ変換器７２供給し、送信データＤqをＤ／Ａ変換器７３に供給する。
【０００４】
Ｄ／Ａ変換器７２は、送信データＤiをアナログベースバンド信号Ｉに変換してＩＱ変調部７５に供給する。Ｄ／Ａ変換器７３は、送信データＤqをアナログベースバンド信号Ｑに変換してＩＱ変調部７５に供給する。また、搬送波信号生成部７４は、搬送波信号Ｓmを生成してＩＱ変調部７５に供給する。
【０００５】
ＩＱ変調部７５は、搬送波信号Ｓmとベースバンド信号Ｉを掛け合わせて変調信号を生成する。また、搬送波信号Ｓmを９０度位相シフトした発振信号とベースバンド信号Ｑを掛け合わせて変調信号を生成する。さらに、生成した２つの変調信号を加算して変調信号Ｓaとしてミキサ７７に供給する。
【０００６】
局部発振部７６は、信号発生装置７０から出力する出力信号ＲＦoutよりも高い周波数の局部発振信号Ｓloaを生成してミキサ７７に供給する。ミキサ７７は、変調信号Ｓaと局部発振信号Ｓloaを掛け合わせることで変調信号Ｓaのアンプコンバート処理を行い、生成された無線周波数信号ＳRFaを帯域通過フィルタ（ＢＰＦ）７８に供給する。
【０００７】
帯域通過フィルタ７８は、無線周波数信号ＳRFaからイメージ成分を除去してミキサ８０に供給する。
【０００８】
局部発振部７９は、局部発振信号Ｓlobを生成してミキサ８０に供給する。また、局部発振部７９は、信号発生装置７０から出力される出力信号ＲＦoutの周波数を変更可能とするため、局部発振信号Ｓlobの周波数を可変できるようにする。
【０００９】
ミキサ８０は、無線周波数信号ＳRFaと局部発振信号Ｓlobを掛け合わせて、無線周波数信号ＳRFaを所望の周波数にダウンコンバートする処理を行う。このミキサ８０で生成された所望の周波数の信号ＳRFbは、パワーアンプ８１を介して低域通過フィルタ（ＬＰＦ）８２に供給される。
【００１０】
低域通過フィルタ８２は、信号ＳRFbからイメージ成分を除去して、アッテネータ８３に供給する。アッテネータ８３は、イメージ除去後の信号を所定の信号レベルに調整して、出力信号ＲＦoutとして出力する。
【００１１】
なお、ベースバンド信号Ｉ，Ｑを変調したのち周波数変換することで無線周波数の出力信号を生成する信号発生装置では、特許文献１に示すように、オフセット位相ループを使用して、出力を包絡線変調することで、広帯域かつ低ノイズの変動包絡線無線周波数信号を生成することが行われている。また、特許文献２には、高精度のＩＱ（ベクトル）変調回路を用いた信号発生装置が記載されている。
【００１２】
【特許文献１】特開２００１−４５０７９号公報
【特許文献２】米国特許第４８４３３５１号明細書（対応日本特許第３２２１６７１号）
【発明の開示】
【発明が解決しようとする課題】
【００１３】
ところで、無線通信システムでは、伝送速度を高めるためにＭＩＭＯ(Multiple Input Multiple Output)の技術が用いられている。ＭＩＭＯは、複数のアンテナから別々のデータを同時に送信しても、混信した信号から元の信号を受信側で復元できる技術である。このＭＩＭＯでは、送信側と受信側のアンテナの組合せを仮想的な通信路とみなして、各通信路の伝達特性を予め調べておき、この伝送特性を利用することで、混信した信号から元の信号を復元することが行われている。
【００１４】
ここで、複数のアンテナから別々のデータを同時に送信する場合、図５に示すような信号発生装置をアンテナ毎に設けることが行われる。例えば、２つのアンテナから別々のデータを同時に送信する場合、２つの信号発生装置を用いるものとして、一方の信号発生装置で生成された所望の無線周波数の出力信号は一方のアンテナから送信されて、他方の信号発生装置で生成された所望の無線周波数の出力信号は他方のアンテナから送信される。
【００１５】
このように、複数の信号発生装置を用いる場合、Ｄ／Ａ変換器７２，７３やＩＱ変調部７５等のタイミングが各信号発生装置で一致していないとスキューの発生を招いてしまい、元の信号を復元することが出来なくなってしまうおそれがある。したがって、各信号発生装置の動作が同期したものとなるように、Ｄ／Ａ変換器７２，７３を駆動するためのクロック信号や局部発振信号等を各信号発生装置で同期させる処理が必要となる。例えば一方の信号発生装置から他方の信号発生装置に同期信号を供給して、この同期信号にクロック信号や局部発振信号等を同期させるものとしたり、周波数シンセサイザから各信号発生装置に同期信号を供給して、この同期信号にクロック信号や局部発振信号等を同期させる必要がある。このため、無線通信システムの構成が複雑となってしまう。また、無線通信システムを安価に構成することもできなくなってしまう。
【００１６】
そこで、この発明では高精度に同期された複数の無線周波数信号を、シンプルかつ低コストで生成できるようにするものである。
【課題を解決するための手段】
【００１７】
この発明に係る信号発生装置は、複数チャネルの送信データをチャネル毎に変調して周波数分割多重した合成データが蓄積されているデータ蓄積手段と、データ蓄積手段より読み出した合成データから、各チャネルの変調信号をアナログ信号として得る信号分離手段と、信号分離手段で得られた各チャネルの変調信号を、それぞれ所望の出力周波数に変換する出力処理手段を具えるものである。
【００１８】
また、信号発生方法は、複数チャネルの送信データをチャネル毎に変調して周波数分割多重した合成データから、各チャネルの変調信号をアナログ信号として得る信号分離ステップと、信号分離ステップで得られた各チャネルの変調信号を、それぞれ所望の出力周波数に変換する出力処理ステップを具えるものである。
【００１９】
また、データ生成装置は、複数チャネルの送信データで搬送波の変調を行い、チャネル毎に変調データを生成する変調手段と、変調手段で得られた変調データを加算して合成データを生成する加算手段とを具え、変調手段は、搬送波の周波数をチャネル毎に異なるものとして、チャネル毎の変調データが周波数分割多重されている合成データを加算手段で生成させるものである。
【００２０】
さらに、データ生成方法は、複数チャネルの送信データで搬送波の変調を行い、チャネル毎に変調データを生成する変調ステップと、前記変調ステップで得られた変調データを加算して合成データを生成する加算ステップとを具え、前記変調ステップでは、前記搬送波の周波数をチャネル毎に異なるものとして、前記チャネル毎の変調データが周波数分割多重されている合成データを前記加算ステップで生成させるものである。
【００２１】
この発明によれば、複数チャネルの送信データの変調処理が行われて、生成されたチャネル毎の変調データを加算して合成データが生成される。変調処理では、搬送波の周波数をチャネル毎に異なるものとして、合成データがチャネル毎の変調データを周波数分割多重したものなるように処理される。無線周波数信号を生成する場合は、合成データから各チャネルの変調信号をアナログ信号として得て、この各チャネルの変調信号がそれぞれ所望の周波数に変換される。
【００２２】
このため、複数の信号発生装置を用いて各信号発生装置の動作を同期させなくとも、高精度に同期した複数の無線周波数信号を容易に生成できる。また、複数チャネル間の時間伝達特性や周波数伝達特性のずれを少なくできる。更に、複数チャネルの出力信号を共通のハードウェアで生成できるので、１チャネルあたりのコストを低くできる。
【発明を実施するための最良の形態】
【００２３】
以下、図を参照しながら、この発明の実施の一形態について説明する。図１は、信号発生装置の機能ブロック図を示している。なお、図１では、例えば同期した２つの出力信号を生成する場合を示している。
【００２４】
信号発生装置１０のデータ蓄積部１１は、メモリ等を用いて構成されている。このデータ蓄積部１１は、同期した２つの出力信号（以下「第１および第２チャネル出力信号」という）を生成するための合成データＤＴを記憶している。ここで、信号発生装置１０で第１および第２チャネル出力信号を生成するときは、記憶している合成データＤＴをＤ／Ａ変換部１２に供給する。Ｄ／Ａ変換部１２は、合成データＤＴをアナログの合成信号ＳIFmに変換して周波数変換部１３のミキサ１３２に供給する。
【００２５】
周波数変換部１３は、後述する信号出力部１５から第１チャネル出力信号ＲＦout1および第２チャネル出力信号ＲＦout2を出力する際に、第１チャネル出力信号ＲＦout1や第２チャネル出力信号ＲＦout2の周波数を変更しても、イメージ成分を容易に除去できるように、合成信号ＳIFmの周波数をアップコンバートするためのものである。
【００２６】
周波数変換部１３の局部発振部１３１は、局部発振信号Ｓlomを生成してミキサ１３２に供給する。なお、局部発振信号Ｓlomの周波数は、例えば第１及び第２チャネル出力信号ＲＦout1及びＲＦout2の周波数よりも高い周波数に設定する。この設定によって、後述するミキサ１５２，１５４での周波数変換では第１及び第２チャネル出力信号ＲＦout1及びＲＦout2の周波数より高い周波数にイメージ成分が生じることとなり、その結果、低域通過フィルタ１５６，１５８でイメージ成分を容易に除去できるようになる。
【００２７】
ミキサ１３２は、合成信号ＳIFmと局部発振信号Ｓlomを掛け合わせて合成信号ＳIFmのアップコンバートを行い、生成された無線周波数信号ＳRFamを信号分離部１４に供給する。この信号分離部１４は、第１チャネルの変調信号と第２チャネルの変調信号を得るためのものである。
【００２８】
信号分離部１４のスプリッタ１４１は、周波数変換部１３から供給された無線周波数信号ＳRFamを帯域通過フィルタ１４２，１４３に供給する。
【００２９】
帯域通過フィルタ１４２と帯域通過フィルタ１４３は通過周波数帯域が異なり、帯域通過フィルタ１４２は、第１チャネル出力信号ＲＦout1を生成するための変調信号成分を通過させて、第１チャネル無線周波数信号ＳRFa1として信号出力部１５に供給する。帯域通過フィルタ１４３は、第２チャネル出力信号ＲＦout2を生成するための変調信号成分を通過させて、第２チャネル無線周波数信号ＳRFa2として信号出力部１５に供給する。この信号出力部１５は、信号分離部１４で得られた第１チャネルと第２チャネルの信号を所望の出力周波数に変換するためのものである。
【００３０】
信号出力部１５の局部発振部１５１は、局部発振信号Ｓlob1を生成してミキサ１５２に供給する。また、局部発振部１５３は、局部発振信号Ｓlob2を生成してミキサ１５４に供給する。局部発振部１５１，１５３は、信号発生装置１０から出力される出力信号ＲＦout1，ＲＦout2の周波数を変更可能とするため、局部発振信号Ｓlob1，Ｓlob2の周波数を可変できるように構成されている。
【００３１】
ミキサ１５２は、信号分離部１４から供給された第１チャネル無線周波数信号ＳRFa1と、局部発振部１５１から供給された局部発振信号Ｓlob1を掛け合わせて、第１チャネル無線周波数信号ＳRFa1のダウンコンバート処理を行う。このミキサ１５２で生成された所望の周波数の第１チャネル信号ＳRFb1は、パワーアンプ１５５を介して低域通過フィルタ１５６に供給される。
【００３２】
ミキサ１５４は、信号分離部１４から供給された第２チャネル無線周波数信号ＳRFa2と、局部発振部１５３から供給された局部発振信号Ｓlob2を掛け合わせて、第２チャネル無線周波数信号ＳRFa2のダウンコンバート処理を行う。このミキサ１５４で生成された所望の周波数の第２チャネル信号ＳRFb2は、パワーアンプ１５７を介して低域通過フィルタ１５８に供給される。
【００３３】
低域通過フィルタ１５６は、第１チャネル信号ＳRFb1からイメージ成分を除去してアッテネータ１５９に供給する。アッテネータ１５９は、イメージ成分が除去された第１チャネル信号を所定の信号レベルに調整して、第１チャネル出力信号ＲＦout1として出力する。
【００３４】
低域通過フィルタ１５８は、第２チャネル信号ＳRFb2からイメージ成分を除去してアッテネータ１６０に供給する。アッテネータ１６０は、イメージ成分が除去された第２チャネル信号を所定の信号レベルに調整して、第２チャネル出力信号ＲＦout2として出力する。
【００３５】
次に、データ蓄積部１１に蓄積される合成データＤＴの生成処理を行うデータ生成装置４０について説明する。データ生成装置４０は、第１及び第２チャネル出力信号ＲＦout1及びＲＦout2として出力する送信データＤＵ1及びＤＵ2についてディジタル変調をそれぞれ行い、周波数分割多重して合成データＤＴを生成する。
【００３６】
図２は、データ生成装置４０の機能ブロック図を示している。送信データＤＵ1のＩＱデータであるＤＵ1i及びＤＵ1qがディジタル変調部４１に供給される。同様に送信データＤＵ2のＩＱデータであるＤＵ2i及びＤＵ2qがディジタル変調部４１に供給される。これらデータは、本発明では複数チャンネル分が必要となる以外は、従来の信号発生装置で用いていたものと同じであり、メモリ（図示せず）等に予め記憶して用意しておけば良い。
【００３７】
ディジタル変調部４１と加算器４２は、典型的にはディジタル・シグナル・プロセッサ（ＤＳＰ）で実現され、図２に示す各ブロックの機能はＤＳＰの演算で実現されるが、各ブロックをそれぞれハードウェアで実現しても良い。ディジタル変調部４１の搬送波生成部４１１は、搬送波データＤＯ1を生成して変調処理部４１２に供給する。
【００３８】
変調処理部４１２は、送信データＤＵ1iと送信データＤＵ1qと搬送波データＤＯ1を用いて変調演算処理を行い、得られた第１チャネル変調データＤＭ1を帯域通過フィルタ４１３に供給する。
【００３９】
例えば変調処理部４１２でＩＱ変調を行う場合、搬送波生成部４１１は、搬送波データＤＯ1として、搬送波信号Ｓmd1のディジタル・データである搬送波データＤＯ1iと、搬送波信号Ｓmd1の９０度位相シフトしたディジタル・データである搬送波データＤＯ1qを変調処理部４１２に供給する。変調処理部４１２は、送信データＤＵ1iと搬送波データＤＯ1iを掛け合わせて変調データＤＭ1iを生成する。また、送信データＤＵ1qと搬送波データＤＯ1qを掛け合わせて変調データＤＭ1qを生成する。さらに変調データＤＭ1iと変調データＤＭ1qを加算して第１チャネル変調データＤＭ1を生成する。
【００４０】
帯域通過フィルタ４１３は、第１チャネル変調データＤＭ1から不要な周波数成分を除去して加算器４２に供給する。
【００４１】
搬送波生成部４１４は、搬送波データＤＯ2を生成して変調処理部４１５に供給する。
【００４２】
変調処理部４１５は、変調処理部４１２と同様に、送信データＤＵ2iと送信データＤＵ2qと搬送波データＤＯ2を用いて演算処理を行い、得られた第２チャネル変調データＤＭ2を帯域通過フィルタ４１６に供給する。
【００４３】
帯域通過フィルタ４１６は、第２チャネル変調データＤＭ2から不要な周波数成分を除去して加算器４２に供給する。
【００４４】
搬送波生成部４１１，４１４は、加算器４２で第１チャネル変調データＤＭ1と第２チャネル変調データＤＭ2を加算しても、第１チャネル変調データＤＭ1に基づいたアナログの変調信号と第２チャネル変調データＤＭ2に基づいたアナログの変調信号を個々に得られるように、図３を用いて後述する如く搬送波の周波数を異なる周波数に設定する。
【００４５】
加算器４２では、第１チャネル変調データＤＭ1と第２チャネル変調データＤＭ2を加算して、合成データＤＴとしてデータ蓄積部１１に蓄積させる。このとき、合成データＤＴは、複数チャネルの変調された送信データを含み且つ各チャネルの周波数帯域が互いに重複しない周波数分割多重したデータとなっている。
【００４６】
なお、データ生成装置４０の別の実施例としては、チャネル毎に送信データとアナログ搬送波信号を掛け合わせて変調信号の生成を行い、各チャネルのアナログの変調信号を加算したのちＡ／Ｄ変換処理して合成データＤＴを生成するものとしても良い。
【００４７】
次に、信号発生装置とデータ生成装置の動作について説明する。ここで、動作の理解を容易とするため、データ生成装置の動作を最初に説明して、次に信号発生装置の動作について説明する。
【００４８】
図３は、データ生成装置の動作を説明するためのものであり、周波数スペクトルをモデル化して示している。なお、図３および後述する図４では、高調波成分やイメージ成分を省略している。
【００４９】
図３Ａは、ディジタル変調部４１の変調処理部４１２に供給された送信データＤＵ1i，ＤＵ1qの周波数スペクトルを示している。変調処理部４１２は、送信データＤＵ1iと送信データＤＵ1qと搬送波データＤＯ1を用いて演算処理を行い、第１チャネル変調データＤＭ1を生成する。ここで、搬送波データＤＯ1が周波数Ｆc1の搬送波信号のディジタル・データであるとすると、変調処理部４１２で生成される第１チャネル変調データＤＭ1の周波数スペクトルは、図３Ｃに示すものとなる。
【００５０】
同様に、図３Ｂは、変調処理部４１５に供給された送信データＤＵ2i，ＤＵ2qの周波数スペクトルを示している。変調処理部４１５は、送信データＤＵ2iと送信データＤＵ2qと搬送波データＤＯ2を用いて演算処理を行い、第２チャネル変調データＤＭ2を生成する。ここで、搬送波データＤＯ2が周波数Ｆc2の搬送波信号のディジタル・データであるとすると、変調処理部４１５で生成される第２チャネル変調データＤＭ2の周波数スペクトルは、図３Ｄに示すものとなる。
【００５１】
このとき周波数Ｆc1を「Ｆc1＝Ｆifm−ＦＤ/２」、周波数Ｆc2を「Ｆc2＝Ｆifm＋ＦＤ／２」と設定すると、合成データＤＴの周波数スペクトルは図３Ｅに示すものとなり、第１チャネル変調データＤＭ1の周波数帯域と第２チャネル変調データＤＭ2の周波数帯域が重ならないものとなる。なお、「Ｆifm」は中間周波数であり例えば「Ｆifm＝（Ｆc1＋Ｆc2）／２」である。「ＦＤ」は、送信データの帯域幅を「Ｆbw」、帯域通過フィルタ１４２，１４３の遷移帯域を「Ｆtc」としたとき「ＦＤ＝Ｆbw＋２Ｆtc」として算出される帯域幅である。
【００５２】
このように、合成データＤＴは、第１チャネルの送信データＤＵ1を変調して得られる変調データの成分と第２チャネルの送信データＤＵ2を変調して得られる変調データの成分が、周波数が重なることなく多重化されたデータとなる。すなわち、信号発生装置１０のデータ蓄積部１１には、２チャネル分の変調データが周波数分割多重化されて合成データＤＴとして記憶されることとなる。
【００５３】
図４は、信号発生装置の動作を説明するためのものであり、周波数スペクトルをモデル化して示している。データ蓄積部１１に記憶されている合成データＤＴは、Ｄ／Ａ変換部１２でアナログの合成信号ＳIFmに変換されて、局部発振信号Ｓlomが掛け合わされる。したがって、局部発振信号Ｓlomが周波数Ｆlomであると、周波数変換部１３から出力される無線周波数信号ＳRFamの周波数スペクトルは、図４Ａに示すものとなる。
【００５４】
信号分離部１４の帯域通過フィルタ１４２は、第１チャネル出力信号ＲＦout1を生成できるように、送信データＤＵ1に基づく周波数成分、すなわち周波数（Ｆif1−ＦＤ）から周波数Ｆif1（＝Ｆifm＋Ｆlom）までの周波数成分を通過させる。このため、帯域通過フィルタ１４２から出力される第１チャネル無線周波数信号ＳRFa1の周波数スペクトルは、図４Ｂに示すものとなる。なお、第１チャネル無線周波数信号ＳRFa1の中心周波数Ｆgc1は「Ｆgc1＝Ｆif1−ＦＤ/２」となる。また、破線は除去された信号成分を示している。
【００５５】
帯域通過フィルタ１４３は、第２チャネル出力信号ＲＦout2を生成できるように、送信データＤＵ2に基づく周波数成分、すなわち周波数Ｆif1から周波数（Ｆif1＋ＦＤ）までの周波数成分を通過させる。このため、帯域通過フィルタ１４３から出力される第２チャネル無線周波数信号ＳRFa2の周波数スペクトルは、図４Ｃに示すものとなる。なお、第２チャネル無線周波数信号ＳRFa2の中心周波数Ｆgc2は「Ｆgc2＝Ｆif1＋ＦＤ/２」となる。また、破線は除去された信号成分を示している。
【００５６】
信号出力部１５のミキサ１５２で第１チャネル無線周波数信号ＳRFa1に周波数Ｆlob1の局部発振信号Ｓlob1を掛け合わせて、低域通過フィルタ１５６で処理することにより得られる第１チャネル出力信号ＲＦout1の周波数スペクトルは、図４Ｄに示すものとなる。なお、第１チャネル出力信号ＲＦout1の中心周波数Ｆtc1は「Ｆtc1＝Ｆgc1−Ｆlob1」となる。
【００５７】
また、ミキサ１５４で第２チャネル無線周波数信号ＳRFa2に周波数Ｆlob2の局部発振信号Ｓlob2を掛け合わせて、低域通過フィルタ１５８で処理することにより得られる第２チャネル出力信号ＲＦout2の周波数スペクトルは、図４Ｅに示すものとなる。なお、第２チャネル出力信号ＲＦout2の中心周波数Ｆtc2は「Ｆtc2＝Ｆgc2−Ｆlob2」となる。
【００５８】
このように、第１チャネル出力信号ＲＦout1の周波数は、局部発振信号Ｓlob1の周波数Ｆlob1に応じたものとなり、第２チャネル出力信号ＲＦout2の周波数は局部発振信号Ｓlob2の周波数Ｆlob2に応じたものとなる。したがって、局部発振信号Ｓlob1や局部発振信号Ｓlob2の周波数を調整することで、同期している第１チャネル出力信号ＲＦout1と第２チャネル出力信号ＲＦout2の周波数を、独立して調整できる。また、第１チャネル出力信号ＲＦout1と第２チャネル出力信号ＲＦout2の周波数を等しくすることも容易に可能となる。
【００５９】
例えば、搬送波データＤＯ1の周波数Ｆc1＝１００ＭＨｚ、局部発振部１３１の発振周波数Ｆlom＝３．９ＧＨｚとして、帯域通過フィルタ１４２で４ＧＨｚの信号を通過させることにより、３．８ＧＨｚのイメージ成分が除去された第１チャネル無線周波数信号ＳRFa1を得ることができる。ここで、局部発振信号Ｓlob1の周波数Ｆlob1を１ＧＨｚ〜３ＧＨｚの範囲で可変して第１チャネル無線周波数信号ＳRFa1に掛け合わせることによりダウンコンバートを行うと、第１チャネル信号ＳRFb1では、１ＧＨｚ〜３ＧＨｚの信号成分と５ＧＨｚ〜７ＧＨｚの信号成分が生じることとなる。したがって、低域通過フィルタ１５６で１ＧＨｚ〜３ＧＨｚの信号成分のみを通過させることで、第１チャネル出力信号ＲＦout1の中心出力周波数を１ＧＨｚ〜３ＧＨｚの範囲で変更できる。また、イメージ成分は、周波数Ｆlomの周波数を第１チャネル出力信号ＲＦout1の出力周波数よりも高く設定することで、第１チャネル出力信号ＲＦout1の信号成分（１ＧＨｚ〜３ＧＨｚ）と周波数が離れた（５ＧＨｚ〜７ＧＨｚ）ものとなり、混信がないのでイメージ成分（この例では、５ＧＨｚ〜７ＧＨｚ）の除去を低域通過フィルタ１５６，１５８で容易に行うことができる。また、同様な処理を行うことで第２チャネル出力信号ＲＦout2の中心出力周波数を変更できる。
【００６０】
また、種々のディジタル変調を用いて合成データＤＴの生成をデータ生成装置４０で行い、生成した合成データＤＴをデータ蓄積部１１に予め蓄積させておけば、信号発生装置１０では、データ蓄積部１１から読み出す合成データＤＴを切り替えるだけで、種々のディジタル変調を用いた複数チャネルの出力信号を同期させて出力することができる。また、チャネル毎にディジタル変調が異なる出力信号を生成することも可能である。
【００６１】
ところで、図１に示す信号発生装置１０では、２チャネルの出力信号を生成して出力する場合について説明したが、データ生成装置４０では、さらに多くのチャネルの変調データを周波数分割多重して合成データＤＴの生成を行い、信号発生装置１０では、合成データＤＴから各チャネルの変調信号をアナログ信号として得て所望の周波数に変換すれば、さらに多くの出力信号を同期させて出力させることができる。
【００６２】
また、図１に示す信号発生装置１０は、第１チャネル出力信号ＲＦout1や第２チャネル出力信号ＲＦout2の周波数を可変する際に、低域通過フィルタ１５６，１５８でイメージ除去を容易に行うことができるように周波数変換部１３を設けている。しかし、第１チャネル出力信号ＲＦout1や第２チャネル出力信号ＲＦout2の周波数を固定とする場合、あるいは周波数の可変範囲が狭く、イメージ成分が、第１チャネル出力信号ＲＦout1や第２チャネル出力信号ＲＦout2の信号成分と重ならない場合、周波数変換部１３を設けていなくとも、複数チャネルの同期した出力信号を生成して出力させることができる。
【００６３】
このように、送信するチャネル数分の送信データを変調して周波数分割多重することで合成データの生成を行い、生成した合成データをデータ蓄積部に蓄積させておく。また、複数チャネルの出力信号を同期させて出力するときは、データ蓄積部から合成データを読み出して処理することにより得た各チャネルの変調信号を所望の周波数に変換することで、高精度に同期された複数チャネルの出力信号を、簡単かつ低コストで生成できる。また、合成データから各チャネルの出力信号を生成することから、時間伝達特性や周波数伝達特性のずれを少なくできる。更にＤ／Ａ変換部１２で処理するデータの周波数帯域は現存するＤ／Ａ変換回路の動作周波数に比較して十分に低くく、よって更なる多チャンネル化により使用する帯域が広くなっても現在のＤ／Ａ変換回路で容易に対応できる。
【図面の簡単な説明】
【００６４】
【図１】信号発生装置の機能ブロック図である。
【図２】データ生成装置の機能ブロック図である。
【図３】データ生成装置の動作を説明するための図である。
【図４】信号発生装置の動作を説明するための図である。
【図５】従来の信号発生装置の機能ブロック図である。
【符号の説明】
【００６５】
１０・・・信号発生装置、１１・・・データ蓄積部、１２，７２，７３・・・Ｄ／Ａ変換部、１３・・・周波数変換部、１４・・・信号分離部、１５・・・信号出力部、４０・・・データ生成装置、４１・・・ディジタル変調部、４２・・・加算器、７０・・・信号発生装置、７１・・・データ蓄積部、７４・・・搬送波信号生成部、７６，７９，１３１，１５１，１５３・・・局部発振部、７５・・・ＩＱ変調部、７７，８０，１３２，１５２，１５４・・・ミキサ、７８，１４２，１４３，４１３，４１６・・・帯域通過フィルタ（ＢＰＦ）、８１，１５５，１５７・・・パワーアンプ、８２，１５６，１５８・・・低域通過フィルタ（ＬＰＦ）、８３，１５９，１６０・・・アッテネータ、１４１・・・スプリッタ、４１１，４１４・・・搬送波生成部、４１２，４１５・・・変調処理部
【図１】
2008028726.tif 000003
【図２】
2008028726.tif 000004
【図３】
2008028726.tif 000005
【図４】
2008028726.tif 000006
【図５】
2008028726.tif 000007